【手続補正書】
【提出日】平成17年1月28日(2005.1.28)
【手続補正１】
【補正対象書類名】明細書
【補正対象項目名】特許請求の範囲
【補正方法】変更
【補正の内容】
【特許請求の範囲】
【請求項１】
記録媒体にインクを液滴として付与して画素を形成することで画像を形成する画像形成方法において、
異なる表面張力の同一色同一濃度のインク滴を表面張力の高い方から順に前記記録媒体に付与することにより同一色の隣接する画素を形成することを特徴とする画像形成方法。
【請求項２】
前記異なる表面張力の同一色同一濃度のインク滴は、相対的に表面張力の高い第１のインク滴と相対的に表面張力の低い第２のインク滴を含み、
先に記録媒体に付着した第１のインク滴が記録媒体上に残存している間に、当該第１のインク滴により形成される画素に隣接する画素を形成するための前記第２のインク滴を付与して、前記第１のインク滴と前記第２のインク滴の混合を生じさせる請求項１に記載の画像形成方法。
【請求項３】
表面張力の異なる同一色同一濃度の２種のインクのうち、表面張力が高い方のインクを吐出する第１の吐出部と、表面張力が低い方のインクを吐出する第２の吐出部とを含む記録ヘッドと、
前記第１の吐出部から吐出されるインク滴により第１の画素を形成した後に、当該第１の画素に隣接する画素位置に対して前記第２の吐出部からインク滴を吐出することで第２の画素を形成するように、前記記録ヘッドにおける第１および第２の吐出部を駆動する制御手段と、
を有することを特徴とするインクジェット記録装置。
【請求項４】
前記異なる表面張力の同一色同一濃度のインク滴は、相対的に表面張力の高い第１のインク滴と相対的に表面張力の低い第２のインク滴を含み、
先に記録媒体に付着した第１のインク滴が記録媒体上に残存している間に、当該第１のインク滴により形成される画素に隣接する画素を形成するための前記第２のインク滴を付与して、前記第１のインク滴と前記第２のインク滴の混合を生じさせる請求項３に記載のインクジェット記録装置。
【請求項５】
少なくとも１つの色について複数種類のインクを有するインクセットにおいて、
同一色同一濃度の複数種類のインクとして、表面張力の異なるインクを含むことを特徴とするインクセット。
【請求項６】
請求項１または２に記載される画像形成方法に用いられ、少なくとも１つの色について複数のインクを有するインクセットにおいて、
同一色同一濃度で表面張力の異なるインクを含むことを特徴とするインクセット。
【請求項７】
第１のインクを付与するための吐出口が所定の方向に配列された第１の吐出口列と当該第１のインクと同一色同一濃度で且つ当該第１インクよりも表面張力が低い第２のインクを付与するための吐出口が前記所定の方向に配列された第２の吐出口列とを含む記録ヘッドを記録媒体に対して相対的に走査させながら、前記記録ヘッドから前記第１のインクおよび前記第２のインクを付与して画像を形成する画像形成方法であって、
前記第１の吐出口列から第１のインクを記録媒体に付与する第１付与工程と、
前記第１のインクで形成される画素と前記所定の方向において隣接する画素の位置に対して、前記第２インクを付与する第２付与工程とを有し、
前記隣接する画素のうち、一方の画素に付与される第１のインクと他方の画素に付与される第２のインクは混合されることを特徴とする画像形成方法。
【請求項８】
前記記録媒体上における第１インクの付与部分と前記第２インクの付着部分との色差をΔＥとしたとき、ΔＥ≦３であることを特徴とする請求項７に記載の画像形成方法。
【請求項９】
インクジェット記録装置において、
第１のインクを付与するための吐出口が所定の方向に配列された第１の吐出口列と当該第１のインクと同一色同一濃度で且つ当該第１のインクよりも表面張力が低い第２のインクを付与するための吐出口が前記所定の方向に配列された第２の吐出口列とを有し、前記第１の吐出口列の吐出口が前記第２の吐出口列の吐出口に対して前記所定の方向に１画素分ずれて配置された記録ヘッドと、
前記所定の方向と直交する方向に記録媒体を搬送させる搬送手段と、
前記搬送手段による記録媒体の搬送中に、前記記録媒体上で所定の方向に隣接する画素のうちの一方の画素に対して前記記録ヘッドから第１のインクを付与させ、その後、他方の画素に対して前記記録ヘッドから第２のインクを付与させる制御手段と、
を有することを特徴とするインクジェット記録装置。
【手続補正２】
【補正対象書類名】明細書
【補正対象項目名】０００７
【補正方法】変更
【補正の内容】
【０００７】
【課題を解決するための手段】  上記の目的を達成することのできる本発明の一実施態様にかかる画像形成方法は、記録媒体にインクを液滴として付与して画素を形成することで画像を形成する画像形成方法において、異なる表面張力の同一色同一濃度のインク滴を表面張力の高い方から順に前記記録媒体に付与することにより同一色の隣接する画素を形成することを特徴とする。
【手続補正３】
【補正対象書類名】明細書
【補正対象項目名】０００８
【補正方法】変更
【補正の内容】
【０００８】
また上記の目的を達成することのできる本発明の一実施態様にかかるインクジェット記録装置は、インクを吐出する吐出部を備えた記録ヘッドを有するインクジェット装置において、表面張力の異なる同一色同一濃度の２種のインクの表面張力が高い方のインクを吐出する第１の吐出部と、表面張力が低い方のインクを吐出する第２の吐出部との組み合わせの１以上と、第１の吐出部から吐出されるインク滴と、第２の吐出部から吐出されるインク滴とを表面張力が高い順に記録媒体に付与し、これらのインク滴から形成される画素を隣接させる制御を行う制御手段と、を有することを特徴とする。
また上記の目的を達成することのできる本発明の一実施態様にかかるインクジェット記録装置は、表面張力の異なる同一色同一濃度の２種のインクのうち、表面張力が高い方のインクを吐出する第１の吐出部と、表面張力が低い方のインクを吐出する第２の吐出部とを含む記録ヘッドと、前記第１の吐出部から吐出されるインク滴により第１の画素を形成した後に、当該第１の画素に隣接する画素位置に対して前記第２の吐出部からインク滴を吐出することで第２の画素を形成するように、前記記録ヘッドにおける第１および第２の吐出部を駆動する制御手段と、を有することを特徴とする。
【手続補正４】
【補正対象書類名】明細書
【補正対象項目名】０００９
【補正方法】変更
【補正の内容】
【０００９】
また上記の目的を達成することのできる本発明の一実施態様にかかるインクセットは、少なくとも１つの色について複数種類のインクを有するインクセットにおいて、同一色同一濃度の複数種類のインクとして、表面張力の異なるインクを含むことを特徴とする。
【手続補正５】
【補正対象書類名】明細書
【補正対象項目名】００１０
【補正方法】変更
【補正の内容】
【００１０】
また上記の目的を達成することのできる本発明の他の実施態様にかかる画像形成方法は、異なる表面張力の同一色同一濃度のインク滴は、相対的に表面張力の高い第１のインク滴と相対的に表面張力の低い第２のインク滴を含み、先に記録媒体に付着した第１のインク滴が記録媒体上に残存している間に、当該第１のインク滴により形成される画素に隣接する画素を形成するための前記第２のインク滴を付与して、前記第１のインク滴と前記第２のインク滴の混合を生じさせることを特徴とする。
更なる上記の目的を達成することのできる本発明の他の実施態様にかかる画像形成方法は、第１のインクを付与するための吐出口が所定の方向に配列された第１の吐出口列と当該第１のインクと同一色同一濃度で且つ当該第１インクよりも表面張力が低い第２のインクを付与するための吐出口が前記所定の方向に配列された第２の吐出口列とを含む記録ヘッドを記録媒体に対して相対的に走査させながら、前記記録ヘッドから前記第１のインクおよび前記第２のインクを付与して画像を形成する画像形成方法であって、前記第１の吐出口列から第１のインクを記録媒体に付与する第１付与工程と、前記第１のインクで形成される画素と前記所定の方向において隣接する画素の位置に対して、前記第２インクを付与する第２付与工程とを有し、前記隣接する画素のうち、一方の画素に付与される第１のインクと他方の画素に付与される第２のインクは混合されることを特徴とする。
なお、前記記録媒体上における第１インクの付与部分と前記第２インクの付着部分との色差をΔＥとしたとき、ΔＥ≦３であることを特徴とする。
【手続補正６】
【補正対象書類名】明細書
【補正対象項目名】００１１
【補正方法】変更
【補正の内容】
【００１１】
また上記の目的を達成することのできる本発明の他の実施態様にかかるインクジェット記録装置は、前記異なる表面張力の同一色同一濃度のインク滴は、相対的に表面張力の高い第１のインク滴と相対的に表面張力の低い第２のインク滴を含み、先に記録媒体に付着した第１のインク滴が記録媒体上に残存している間に、当該第１のインク滴により形成される画素に隣接する画素を形成するための前記第２のインク滴を付与して、前記第１のインク滴と前記第２のインク滴の混合を生じさせることを特徴とする。
更なる上記の目的を達成することのできる本発明の他の実施態様にかかるインクジェット記録装置は、第１のインクを付与するための吐出口が所定の方向に配列された第１の吐出口列と当該第１のインクと同一色同一濃度で且つ当該第１のインクよりも表面張力が低い第２のインクを付与するための吐出口が前記所定の方向に配列された第２の吐出口列とを有し、前記第１の吐出口列の吐出口が前記第２の吐出口列の吐出口に対して前記所定の方向に１画素分ずれて配置された記録ヘッドと、前記所定の方向と直交する方向に記録媒体を搬送させる搬送手段と、前記搬送手段による記録媒体の搬送中に、前記記録媒体上で所定の方向に隣接する画素のうちの一方の画素に対して前記記録ヘッドから第１のインクを付与させ、その後、他方の画素に対して前記記録ヘッドから第２のインクを付与させる制御手段と、を有することを特徴とする。